(57)【要約】【課題】棒材から加工できてコストが安く、扉の振動や金属の衝突音の発生を確実に防止すると共に、他人に簡単に扉を開けられないようにしてセキュリティー性を高め、しかも横方向に引き出せるので、小型の扉や、この上部前面に収納箱などを取付けられる扉のロック機構を提供するものである。【解決手段】左右の扉２Ａ、２Ｂの前面に金属製ノブ３Ａ、３Ｂ突設し、ここに、左右に貫通する貫通孔２６をそれぞれ形成すると共に、ノブ３Ａ、３Ｂの底面に、前記貫通孔２６に連通するねじ孔１７を形成し、左右に貫通する前記貫通孔２６に連結棒２７を着脱自在に貫通させ、前記ねじ孔１７に中空ビス１８を前後進自在に螺合させて、この中空ビス１８の先端で連結棒２７を固定すると共に、左右のノブ３Ａ、３Ｂの貫通孔２６から突出した連結棒２７の両端に、これより外径の大きいボスを着脱自在に取付けたものである。【選択図】  図４
2010242296.tif 000002
【特許請求の範囲】
【請求項１】
左右の扉の前面または扉と前面板の前面に金属製ノブを突設し、このノブに、左右に貫通する貫通孔をそれぞれ形成すると共に、ノブの底面に、前記貫通孔に連通するねじ孔を形成し、左右に貫通する前記貫通孔に連結棒を着脱自在に貫通させ、前記ねじ孔にビスを前後進自在に螺合させて、このビスの先端で連結棒を固定すると共に、左右のノブの貫通孔から突出した連結棒の両端に、連結棒より外径の大きいボスを取付け、少なくとも一方のボスを着脱自在に取付けたことを特徴とする扉のロック機構。
【請求項２】
ビスが、中空部断面形状が六角形に形成された中空ビスで形成されていることを特徴とする請求項１記載の扉のロック機構。
【請求項３】
連結棒の中間に錠を取付ける錠取付孔を形成したことを特徴とする請求項１記載の扉のロック機構。
【発明の詳細な説明】
【技術分野】
【０００１】
本発明は、扉のロック機構に関するものである。
【背景技術】
【０００２】
墓石の前方に石材で形成された香炉や収納庫が設置されている。従来の石材で形成された収納庫１は、例えば図８に示すように前面に石材で形成された観音開きの扉２Ａ、２Ｂが設けられ、収納庫１の前面中央側に、左右のノブ３Ａ、３Ｂが突設されている。ノブ３Ａ、３Ｂはステンレスなどの金属で円柱状に形成されたノブ本体４Ａ、４Ｂの外周に環状溝５Ａ、５Ｂが形成され、一方のノブ本体４Ａに形成した環状溝５Ａの中心部を軸として金属板で形成された連結アーム８が回動自在に支持されている。
【０００３】
更に連結アーム８の先端側にはＵ形切欠部９が形成され、ここを他方のノブ本体４Ｂに形成した環状溝５Ｂの中心の係合部に着脱自在に係合させて、両ノブ３Ａ、３Ｂを連結して左右の扉２Ａ、２Ｂが開かないようにロックするようになっている（特許文献１）。
【０００４】
しかしながら従来の構造では、観音開きの扉２Ａ、２Ｂが石材で形成されているので精度良く加工して、扉２Ａ、２Ｂを図示しない蝶番や軸で開閉自在に支持して合わせ部分が平面状になるように組立てることが難しかった。このため、環状溝５Ａ、５Ｂの幅を、連結アーム８の板厚に比べて大きく形成しなければならず隙間が大きくなるので、扉２Ａ、２Ｂが閉じた状態で平面状にならず、また風が吹くと扉２Ａ、２Ｂが前後に振動して、ノブ３Ａ、３Ｂと連結アーム８が当たり金属の衝突音が発生する問題があった。
【０００５】
また従来の構造は、連結アーム８を持ち上げてノブ３Ａ、３Ｂの連結を解除すれば、他人でも簡単に扉２Ａ、２Ｂを開けることができるので、セキュリティー性が低く収納物の盗難やいたずらを防ぐことができなかった。
【０００６】
このため本発明者は、図９に示すロック機構を先に開発した。これは前面に石材で形成された観音開きの扉２Ａ、２Ｂの前面に、金属で円柱状に形成された左右のノブ３Ａ、３Ｂが突設されている。ノブ３Ａ、３Ｂはステンレスなどの金属で円柱状に形成されたノブ本体４Ａ、４Ｂの外周に環状溝５Ａ、５Ｂが形成されている。
【０００７】
一方のノブ本体４Ａは、円板部１２の背面に軸６を形成し、更にこの背面に円筒体１３を一体に突設し、この円筒体１３の内側にねじ孔１４を形成したノブ部材１５とリング状のノブ部材１６とを組み合わせて構成されている。また前記円板部１２の外周側には、内径が４ｍｍ程度の小さなねじ孔１７を貫通して、ここに中空部断面が六角形に形成された外径が４ｍｍ程度の中空ビス１８が螺合し、リング状のノブ部材１６と組み合わせた状態で、環状溝５Ａに、中空ビス１８が伸出できるように構成されている。
【０００８】
また他方のノブ本体４Ｂは円柱体２０の背面にねじ孔１４が開孔されていると共に、外周に環状溝５Ｂを形成し、この前方の部分に内径が４ｍｍ程度の小さなねじ孔１７を開孔して、ここに中空部断面が六角形に形成された外径が４ｍｍ程度の中空ビス１８が螺合し、環状溝５Ｂに、中空ビス１８が伸出できるように構成されている。また連結アーム８は、図８と同様に金属板で構成され、一方に軸６が貫通する軸取付孔２５が形成され、また他方にＵ形切欠部９が形成されている。
【０００９】
上記ノブ３Ａは、ノブ部材１５の軸６に連結アーム８の軸取付孔２５を嵌めてからリング状のノブ部材１６に挿着する。次に、扉２Ａに開孔した貫通孔２２の前面に位置させて、扉２Ａの背面側からワッシャー２４を介してボルト２３を挿入して、その先端を円筒体１３のねじ孔１４に螺合させることによりノブ３Ａを扉２Ａに固定する。
【００１０】
またノブ３Ｂは、扉２Ｂに開孔した貫通孔２２の前面に位置させて、扉２Ｂの背面側からワッシャー２４を介してボルト２３を挿入して、その先端をノブ３Ｂの背面に形成したねじ孔１４に螺合させることによりノブ３Ｂを扉２Ｂに固定する。
【００１１】
上記構成のロック機構は、図８に示すように連結アーム８を仮想線で示すように上方に持ち上げて回動させることにより、ノブ３Ａ、３Ｂのロックが解除されて、ノブ３Ａ、３Ｂを手でつかんで扉２Ａ、２Ｂを開くことができる。
【００１２】
閉じた扉２Ａ、２Ｂをロックする場合は、連結アーム８を戻してＵ形切欠部９をノブ３Ｂの環状溝５Ｂの内側に形成した係合部１０に係合させる。次に六角レンチを中空ビス１８に差し込んで回転させると中空ビス１８はねじ孔１７を前進して環状溝５Ａ、５Ｂ内に突出し、更に前進すると連結アーム８を押し付けてノブ３Ａ、３Ｂに固定される。
【００１３】
従って、中空ビス１８で連結アーム８を固定して左右のノブ３Ａ、３Ｂをロックするのでガタツキがなく、風が吹いても扉２Ａ、２Ｂが振動せず、金属の衝突音の発生を確実に防止することができる。また外径が４ｍｍ程度の小さな中空ビス１８を用いているので、外見上はロックされているように見えず、六角レンチを持っていない他人は、連結アーム８を回動させようとしても動かないので、ノブと連結アーム８がしっかり固定されてガタツキがなく、扉２Ａ、２Ｂの振動や金属の衝突音の発生を確実に防止すると共に、他人に簡単に扉を開けられないようにしてセキュリティー性を高めたものである（特許文献２）。
【００１４】
しかしながらこの構造は、連結アーム８の加工コストが高く構造が複雑で、しかも図８に示すように連結アーム８が上下に回動するため、天板１９との間にスぺ−スを必要とし、小型の扉２Ａ、２Ｂや、扉の上部前面に収納箱などを取付けられない問題があった。
【先行技術文献】
【特許文献】
【００１５】
【特許文献１】特開平９−２８５４９号公報の図２
【特許文献２】特開２００５−２２６２３９
【発明の概要】
【発明が解決しようとする課題】
【００１６】
本発明は上記問題を改善し、加工コストが高い連結アームを用いず、棒材から加工できてコストが安く、扉の振動や金属の衝突音の発生を確実に防止すると共に、他人に簡単に扉を開けられないようにしてセキュリティー性を高め、しかも、回動のための上部にスぺ−スを必要とする連結アームを用いず横方向に引き出せるので、小型の扉や、扉の上部前面に収納箱などを取付けられる扉のロック機構を提供するものである。
【課題を解決するための手段】
【００１７】
本発明の請求項１記載の扉のロック機構は、左右の扉の前面または扉と前面板の前面に金属製ノブを突設し、このノブに、左右に貫通する貫通孔をそれぞれ形成すると共に、ノブの底面に、前記貫通孔に連通するねじ孔を形成し、左右に貫通する前記貫通孔に連結棒を着脱自在に貫通させ、前記ねじ孔にビスを前後進自在に螺合させて、このビスの先端で連結棒を固定すると共に、左右のノブの貫通孔から突出した連結棒の両端に、連結棒より外径の大きいボスを取付け、少なくとも一方のボスを着脱自在に取付けたことを特徴とするものである。
【００１８】
本発明の請求項２記載の扉のロック機構は、請求項１において、ビスが、中空部断面形状が六角形に形成された中空ビスで形成されていることを特徴とするものである。
【００１９】
本発明の請求項３記載の扉のロック機構は、請求項１において、連結棒の中間に錠を取付ける錠取付孔を形成したことを特徴とするものである。
【発明の効果】
【００２０】
本発明に係る請求項１記載の扉のロック機構によれば、扉や前面板に取付けた左右のノブに連結棒が貫通して、その両側が外径の大きいボスで固定され、更にノブの内側においてビスで固定されているので確実にロックされており、通常の錠とは異なる外観で、構造を知らない他人は開けることができない。また連結棒は固定されているのでガタツキがなく、風が吹いても扉が振動せず、金属の衝突音の発生を確実に防止することができる。
【００２１】
本発明に係る請求項２記載の扉のロック機構は、六角レンチで中空ビスを前進させて連結棒を固定するので六角レンチを持っていない他人は、扉を開けることができずセキュリティー性に優れている。
【００２２】
また請求項３記載の扉のロック機構によれば、連結棒の中間に錠を取付ける錠取付孔を形成し、ここに錠を取付けて二重にロックするので、更にセキュリティー性を向上させることができる。
【発明を実施するための最良の形態】
【００２３】
以下本発明の実施の一形態を図１ないし図５を参照して詳細に説明する。この扉のロック機構は、石材で形成された観音開きの扉２Ａ、２Ｂの前面に取付けられ、金属で円柱状に形成された左右のノブ３Ａ、３Ｂを突設し、このノブ３Ａ、３Ｂに図３に示すように、左右に貫通する貫通孔２６、２６がそれぞれ形成され、ここに連結棒２７が着脱自在に貫通している。
【００２４】
上記ノブ３Ａ、３Ｂは背面側にねじ孔１４が形成され、また扉２Ａ、２Ｂのノブ取付け位置に貫通孔２２が開孔され、この背面側からワッシャー２４を介してボルト２３を挿入して、その先端をノブ３Ａ、３Ｂの背面に形成したねじ孔１４に螺合させることにより扉２Ａ、２Ｂに固定されている。
【００２５】
また前記ノブ３Ａ、３Ｂの底面には図４および図５に示すように、貫通孔２６に連通するねじ孔１７を形成し、ここに中空部断面形状が六角形に形成された中空ビス１８を、六角レンチ３２で前後進自在に螺合させて、この中空ビス１８の先端で前記連結棒２７を底部側から固定するようになっている。
【００２６】
上記構成の扉のロック機構は、扉２Ａ、２Ｂが締まってロックされている状態では、図１および図２に示すようにノブ３Ａ、３Ｂに連結棒２７が貫通して、その両側が外径の大きいボス３０、３０で固定され、更にノブ３Ａ、３Ｂの内側で中空ビス１８により固定されているので確実にロックされており、連結棒２７を横に引いても動かず、通常の錠とは異なる外観で、構造を知らない他人は開けることができない。また連結棒２７は固定されているのでガタツキがなく、風が吹いても扉２Ａ、２Ｂが振動せず、金属の衝突音の発生を確実に防止することができる。
【００２７】
また墓参した時には、図４および図５に示すようにノブ３Ａ、３Ｂの底面に形成したねじ孔１７に六角レンチ３２を差し込んで、中空ビス１８を回転させて下げると、連結棒２７のロックが解除される。この後、一方のボス３０を回転させてねじ部２８から取り外してから横に引き抜くと連結棒２７はノブ３Ａ、３Ｂの貫通孔２６から外れて、扉２Ａ、２Ｂを開閉することができる。また墓参が終わって帰る時には、上記と逆の手順で、ボス３０を取付け、六角レンチ３２で中空ビス１８を止めるとロックされる。
【００２８】
従って構造の分からない他人はロックを解除できず、扉２Ａ、２Ｂを開けることができないのでセキュリティー性に優れている。また連結棒２７は横に引き抜く構造で、従来の連結アーム１８のように回動させる必要がなく、天板１９との間を狭く形成できるので、小型の収納庫１に取付けられると共に、納骨室の扉の上部に別の収納庫を取付けることもできる。また墓参の度に、六角レンチ３２を持って行かなくても、六角レンチ３２は長さが６ｃｍ程度で細く短いので墓石や外柵の石の間などに隠しておくことができる。
【００２９】
図６は本発明の異なる他の実施の形態を示すもので、連結棒２７の中間に錠取付孔３３を開孔したものである。これは連結棒２７をロックした状態で、更に錠取付孔３３に錠３４を取付けたものである。これはロック構造が分かっている他人が六角レンチ３２で万一解除しても、錠３４が掛かっているので連結棒２７を横に引き抜けず、扉２Ａ、２Ｂを開けることができない。
【００３０】
図７は本発明の更に異なる他の実施の形態を示すもので、片開きの扉２の収納庫１に適用した場合を示すもので、前面板３５にノブ３Ａを取付け、扉２にノブ３Ｂを取付けたものである。
【００３１】
なお上記説明では連結棒２７の両端にねじ部２８を形成し、ここに外径の大きいボス３０を螺合させた構造について示したが、一方のボス３０は取外す必要がないので、接着剤で固定した構造や、連結棒２７と一方のボス３０を一体に形成した構造でも良い。また連結棒２７の固定に、中空部断面形状が六角形に形成された中空ビス１８を用いた場合について示したが、他の構造のビスを用いても良い。
【産業上の利用可能性】
【００３２】
上記扉のロック機構は石材で形成した収納庫１や納骨室の扉に取付ける場合について説明したが、木製や金属製の収納庫の扉に取付けても良い。
【図面の簡単な説明】
【００３３】
【図１】本発明の実施の一形態による扉のロック機構を示す斜視図である。
【図２】図１の扉に取付けたロック機構を示す平面図である。
【図３】図２の扉に取付けたロック機構を示す水平断面図である。
【図４】図３の扉に取付けたロック機構を示す縦断正面図である。
【図５】図４の扉に取付けたロック機構を示す縦断側面図である。
【図６】本発明の他の実施の形態による錠を取付けた扉のロック機構を示す斜視図である。
【図７】本発明の異なる他の実施の形態による片開きの収納庫にロック機構を取付けた状態を示す水平断面図である。
【図８】従来の連結アームを用いた扉のロック機構を示す斜視図である。
【図９】従来の扉に取付けたロック機構を示す水平断面図である。
【符号の説明】
【００３４】
１    収納庫                                                
２、２Ａ、２Ｂ    扉                                        
３Ａ、３Ｂ    ノブ                                          
４Ａ、４Ｂ    ノブ本体                                      
５Ａ、５Ｂ    環状溝                                        
６    軸                                                    
８    連結アーム                                            
９    Ｕ形切欠部                                            
１３  円筒体                                                
１４  ねじ孔                                                
１５  ノブ部材                                              
１６  ノブ部材                                              
１７  ねじ孔                                                
１８  中空ビス                                              
１９  天板                                                  
２０  円柱体                                                
２２  貫通孔                                                
２３  ボルト                                                
２４  ワッシャー                                            
２５  軸取付孔                                              
２６  貫通孔                                                
２７  連結棒                                                
２８  ねじ部                                                
２９  ねじ孔                                                
３０  ボス                                                  
３２  六角レンチ                                            
３３  錠取付孔                                              
３４  錠                                                    
３５  前面板                                                
【図１】
2010242296.tif 000003
【図２】
2010242296.tif 000004
【図３】
2010242296.tif 000005
【図４】
2010242296.tif 000006
【図５】
2010242296.tif 000007
【図６】
2010242296.tif 000008
【図７】
2010242296.tif 000009
【図８】
2010242296.tif 000010
【図９】
2010242296.tif 000011